(57)【要約】【課題】ハンドルを掴んで踏み板動作を行なう経絡マッサージ健康器具の踏み板角度調節を簡単にし、ハンドルの支持を安定する。【解決手段】矩形底台１０と足踏板底２０前段に可動支持桿１２両端を枢設し、底台両側枠後段内側には複数の定位円弧状溝１６１を具えた定位ブラケット１６を設けて、足踏板後端両側に結合した定位桿２１を相対する定位円弧状溝に嵌入して傾動可能に組み合わせる。底台前端の固定台１３には、ハンドル支持桿３０下段の方形管３２１下端を嵌合し、着脱レバー１４で固定台両側壁をハンドル支持桿に締結する。足踏板は、定位桿を定位円弧状溝内を滑動して任意の角度に調節でき、また、ハンドル支持桿は着脱レバーで強固に締結されると共に、容易に緩めて折り畳むことができる。【選択図】図１
0003110005.tif 000002
【実用新案登録請求の範囲】
【請求項１】
矩形枠体からなる底台の一辺に足踏板一辺を枢設すると共に、その足踏板自由端と底台間を可動支持桿で連結し、底台の前端にはハンドルを具えたハンドル支持桿を直立させた経絡マッサージ健康器具において、
該矩形枠体の底台後端に足踏支持桿を凸設し、足踏板底面前段を該一対の可動支持桿を介して底台に設けた一対の枢設台に枢設することにより足踏板を支持連結し、底台の矩形枠体の両側後段内側には複数個の定位円弧状溝を具えた定位ブラケットを設けて、そこに足踏板後両側に設けた一対の定位桿を嵌入して足踏台の傾斜角度を調節可能としたことを特徴とする経絡マッサージ健康器具。
【請求項２】
前記ハンドル支持桿は、上端にハンドルを結合すると共に、下段には外カバー管を嵌合して該外カバー管開口には切欠口を成形して着脱レバーで結合し、外カバー管下段には方形管が成形され、その下端を底台前端に設けた固定台に結合するべく、該固定台には矩形断面で両側壁には上向きに縦長孔を具えた締結片を立設して着脱レバーを該縦長穴から方形管に挿通して該方形管を締結固定することにより、ハンドル支持桿の外カバー管を支持して直立させたり、後ろ向きに折り畳んだりすることを可能としてなることを特徴とする請求項１記載の経絡マッサージ健康器具。
【請求項３】
前記固定台は、その前壁のネジ孔にネジを挿通して方形管を締結することにより、ハンドル支持桿の外カバー管を固定台に直立させた時、その固定をより強化することを特徴とする請求項１記載の経絡マッサージ健康器具。
【考案の詳細な説明】
【技術分野】
【０００１】
本考案は、経絡マッサージ健康器具に関するもので、ハンドルの支持を安定させ、操作が簡便なものである。
【背景技術】
【０００２】
矩形枠体からなる底台の一辺に足踏板一辺を枢設すると共に、その足踏板自由端と底台間を可動支持桿で連結し、底台の前端にはハンドルを具えたハンドル支持桿を直立させた経絡マッサージ健康器具において、
その後端に上向き垂直に湾曲して後停止部が成形された底台と、
その底台には後停止部箇所に枢設される枢設端が設置され、底台に対応して枢設回転する自由端が設置され、底台上方に枢設される足踏板と、
足踏板の自由端に固定され、足踏板を自由端に定位して枢設端の傾斜位置を高くすることを特徴とする傾斜式経絡マッサージ健康器具が市販されている。
【特許文献１】特開２０００−１５７６００号公報
【特許文献２】特公平８−１７７９９号公報
【考案の開示】
【考案が解決しようとする課題】
【０００３】
解決しようとする問題点は、足踏板は底面に枢設した支持フレームによって底台の各定位部に設置されている。そのため操作を調節する場合、先ず一方の手で足踏板を持ち上げ、続いて残りの手で支持フレームを支えて前後移動し、異なる定位部に入れることにより、足踏板の傾斜角度を調節できる。これは両手で各々異なる操作をしなければならず、大変不便である点である。
更に、底台には簡単な差込孔が設置され、そこにハンドル下端を差し込むだけある。このような単純な構造ではハンドルが安定せず、揺れてしまう点である。
つまり、簡単に角度調節でき、ハンドル支持が安定した経絡マッサージ健康器具を提供することにある。
【課題を解決するための手段】
【０００４】
本考案は、矩形底台と足踏板底面前段に可動支持桿両端を枢設する。底台両側枠後段内側には複数の定位円弧状溝を具えた定位ブラケットを結合し、足踏板後端両側に結合した定位桿を相対する定位円弧状溝に嵌入して組み合わせる。底台前端の固定台には、ハンドル支持桿下段の方形管下端を嵌合する。固定台の両側壁には上向きの締設片が伸び、着脱レバーで固定台両側壁をハンドル支持桿に締める。足踏板後端を引くだけで、簡単に定位槽を滑動し、任意の角度に調節すればよい。また、固定台はハンドル支持桿を支えて直立させたり、もしく後方へ折り畳んで体積を縮小し、携帯しやすくする。また固定台にハンドル支持桿を挿し込み直立した時、側面壁にネジを挿し込み、固定を強化することを最も主要な特徴とする。
【考案の効果】
【０００５】
本考案の経絡マッサージ健康器具は、簡単に角度調節することができ、操作時のハンドルの支持が安定する。
【考案を実施するための最良の形態】
【０００６】
図１は、本考案の立体分解指示図で、主に底台１０上に角度調節可能な足踏板２０を枢設し、更に回転折畳及び伸縮可能なハンドル支持桿３０を組み立てる。そのうち、
【０００７】
底台１０は、矩形枠体で、その前部の枠体両側から掛け渡した枠には一対の枢設台１１を設けて、各々足踏板２０を支持する可動支持桿１２の下端が枢設される。また、二つの枢設台１１より前部中央に固定台１３が設置され、その両側には上向きに縦長孔１３２が貫設された設片１３１が立設され、その縦長孔１３２に着脱レバー１４を挿し込む。該設片の前側壁にはネジ孔１３３が成形され、ネジ１５で止める。底台１０両側枠体後方には複数個の定位円弧状溝１６１が成形された定位ブラケット１６を設置し、底台１０後端に足踏支持桿１７を設ける。
【０００８】
足踏板２０は矩形で後端両側には各々定位桿２１を結合する。さらにその底面には底台１０の枢設台１１と相対して枢設される可動支持桿１２の上端が枢着される。
【０００９】
ハンドル支持桿３０は、桿体でその上端にはコの字型のハンドル３１が設けられ、更に、下段には方形管３２の外カバー管３２を嵌合する。その上端は切欠き口３２２に着脱レバー３２３が組合され、外カバー管３２下段は、両側壁に縦長孔３２４を貫設した方形管３２１からなる。
【００１０】
図２に示すのは、本考案の立体組立図で、底台１０に可動支持桿１２を枢設した足踏板２０は、その後端両側の定位桿２１を底台１０両側枠の定位ブラケット１６に相対した定位円弧状溝１６１に嵌入する。また底台１０前端の方形状の固定台１３には、ハンドル支持桿３０の外カバー管３２下段の方形管３２１下端に挿入し、相対する四箇所の接触面によってしっかりと組み合わされる。
【００１１】
図３，４に示すのは、本考案の固定台とハンドル支持桿下端が結合した断面図で、図３に示すとおり、方形管３２１下段の縦長孔３２４と固定台の縦長孔１３２を合わせ、着脱レバー１４を挿し込み、図の点線に示すとおり、着脱レバー１４のハンドル１４１を動かし、二枚の締設片１３１を方形管３２１両側壁に締め付ける。そして図４に示すとおり、固定台１３前側壁でネジ１５をネジ孔１３３に挿通して、ハンドル支持桿３０の外カバー管３２の方形管前側外壁を締結する。三つの方向からによるハンドル支持桿３０の外カバー管３２下段の方形管３２１の三側面外壁が締結されることにより、強固にハンドル支持桿３０を結合する。
【００１２】
図５に示すのは、本考案の実施例指示図で、足踏板２０を底台１０の両定位ブラケット１６で傾斜の度合いを調節して固定し、使用者が上面に立った時、両足４０の経絡を伸ばしやすくする。足踏板２０を可動支持桿１２の支持に沿って滑動させ、足踏板２０後端の両定位桿２１を定位ブラケット１６に向かって移動させ、より前方の定位円弧状溝１６１に嵌入する。図６に示すとおり、徐々に足踏板２０の傾斜角度を調節し、両足４０の経絡を伸ばして健康促進する。
【００１３】
図８に示すとおり、本考案底台１０後端に足踏支持桿１７を凸設する。それによって使用者は両手でハンドル支持桿３０のハンドル３１を握り、両足裏を足踏支持桿１７上に置き、両足を交互に踏むことにより、足裏凹部を刺激して健康効果を促進する。
【００１４】
図７に示すのは、本考案の収納操作指示図で、収納する時、図の点線に示すとおり、先ず足踏板２０を移動してその後端の両定位桿２１を定位ブラケット１６の最後の定位円弧状溝１６１に嵌入する(図５参照)。そして足踏板２０を図に示す最も低い位置に合わせ、次に図の矢印に示すとおり固定台１３上の着脱レバー１４と締めてあるネジ１５を緩め、ハンドル支持桿３０の外カバー管３２を固定台１３から抜き、図に示すとおり、後方へ折り曲げる。
【００１５】
図９に示すとおり、本考案に凸設した底台１０後端の足踏支持桿１７は、図８に示す足裏を刺激する用途以外に、使用しない時、図７のように折り畳んだ後、ハンドル支持桿７０更に下げ、ハンドル３１の横桿を足踏支持桿１７と平行になるように合わせ、ハンドルの横桿及び足踏支持桿１７で持つ。これにより移動や携帯が便利である。
【図面の簡単な説明】
【００１６】
【図１】本考案の立体分解図である。
【図２】本考案の立体組立図である。
【図３】本考案の固定台とハンドル中空桿下端の結合断面指示図である。
【図４】本考案の固定台とハンドル中空桿下端の結合断面指示図である。
【図５】本考案の操作実施例指示図である。
【図６】本考案の足踏板高度調節指示図である。
【図７】本考案の収納指示図である。
【図８】本考案の別の使用操作実施例指示図である。
【図９】本考案の収納持ち運び指示図である。
【符号の説明】
【００１７】
１０        底台
１１        枢設台
１２        可動支持桿
１３        固定台
１３１        締設片
１３２        縦長孔
１３３        ネジ孔
１４        着脱レバー
１４１        ハンドル
１５        ネジ
１６        定位ブラケット
１６１        定位円弧状溝
１７        足踏支持桿
２０        足踏板
２１        定位桿
３０        ハンドル支持桿
３１        ハンドル
３２        外カバー管
３２１        方形管
３２２        欠切口
３２３        着脱レバー
３２４        縦長孔
４０        両足
【図１】
0003110005.tif 000003
【図２】
0003110005.tif 000004
【図３】
0003110005.tif 000005
【図４】
0003110005.tif 000006
【図５】
0003110005.tif 000007
【図６】
0003110005.tif 000008
【図７】
0003110005.tif 000009
【図８】
0003110005.tif 000010
【図９】
0003110005.tif 000011